(57)【特許請求の範囲】
【請求項１】
広域ネットワークに接続されたサーバ装置に対して接続されるベース装置と、前記ベース装置に対して１対１で無線接続され、ユーザによって操作されるステーション端末とから形成される無線通信システムであって、
前記ベース装置は、
前記ステーション端末との通信状況に応じて、前記ステーション端末が自機との間で通信が可能な圏内にあるか否かを判別する第１の判別手段と、
通信回線が接続されていて使用中であるか否かを判別する第２の判別手段と、
前記第２の判別手段により前記通信回線が使用中であると判別された場合であって、前記第１の判別手段により前記ステーション端末が圏内にないと判別された場合に、通信の相手先に対する切断要求を、前記サーバ装置を通じて前記通信の相手先に送信し、前記切断要求に応じて前記通信の相手先から送信されてくる切断要求受理メッセージを受信して、前記通信の相手先との間に接続している前記通信回線を切断する切断手段と、
前記第２の判別手段により前記通信回線が使用中でないと判別された場合であって、前記第１の判別手段により前記ステーション端末が圏内にないと判別された場合に、離脱要求を前記サーバ装置に送信すると共に、前記第２の判別手段により前記通信回線が使用中であると判別された場合であって、前記第１の判別手段により前記ステーション端末が圏内にないと判別された場合には、前記切断手段により前記通信回線を切断した後に、前記離脱要求を前記サーバ装置に送信する離脱要求送信手段と、
前記離脱要求送信手段により前記離脱要求が送信された後に、前記第１の判別手段により前記ステーション端末が圏内にあると判別された場合に、前記サーバ装置に対する接続要求を前記サーバ装置に送信する接続要求送信手段と
を備え、
前記ステーション端末は、
所定のタイミング毎に、前記ベース装置に対して接続確認用の信号を送信する送信手段を備えることを特徴とする無線通信システム。
【請求項２】
請求項１に記載の無線通信システムであって、
前記広域ネットワークは、ＩＰ（Internet Protocol）網を含むものであり、
前記サーバ装置は、ＳＩＰ（Session Initiation Protocol）サーバ装置としての機能を有するものであり、
前記サーバ装置と前記ベース装置とはＬＡＮ（Local Area Network）を通じて接続され、
前記ベース装置と前記ステーション端末とによってＩＰ（Internet Protocol）電話端末を構成する
ことを特徴とする無線通信システム。
【請求項３】
広域ネットワークに接続されるサーバ装置に対して、ユーザによって操作されるステーション端末と１対１で無線接続されるベース装置が接続されて形成される通信システムの前記ベース装置が行う前記通信システムへの離脱／接続方法であって、
前記ステーション端末との通信状況に応じて、前記ステーション端末が自機との間で通信が可能な圏内にあるか否かを第１の判別手段が判別する第１の判別工程と、
通信回線が接続されていて使用中であるか否かを第２の判別手段が判別する第２の判別工程と、
前記第２の判別工程において前記通信回線が使用中であると判別した場合であって、前記第１の判別工程において前記ステーション端末が圏内にないと判別した場合に、切断手段が、通信の相手先に対する切断要求を、前記サーバ装置を通じて前記通信の相手先に送信し、前記切断要求に応じて前記通信の相手先から送信されてくる切断要求受理メッセージを受信して、前記通信の相手先との間に接続している前記通信回線を切断する切断工程と、
前記第２の判別工程において前記通信回線が使用中でないと判別した場合であって、前記第１の判別工程において前記ステーション端末が圏内にないと判別した場合に、離脱要求送信手段が離脱要求を前記サーバ装置に送信すると共に、前記第２の判別工程において前記通信回線が使用中であると判別した場合であって、前記第１の判別工程において前記ステーション端末が圏内にないと判別した場合には、前記切断工程を通じて、前記通信回線を切断した後に、前記離脱要求送信手段が前記離脱要求を前記サーバ装置に送信する離脱要求送信工程と、
前記離脱要求送信工程において前記離脱要求を送信した後に、前記第１の判別工程において前記ステーション端末が圏内にあると判別した場合に、接続要求送信手段が前記サーバ装置に対する接続要求を前記サーバ装置に送信する接続要求送信工程と
を有することを特徴とする通信システムへの離脱／接続方法。
【請求項４】
広域ネットワークに接続されるサーバ装置に対して、ユーザによって操作されるステーション端末と１対１で無線接続されるベース装置が接続されて形成される通信システムの前記ベース装置に搭載されるコンピュータが実行する前記通信システムへの離脱／接続プログラムであって、
前記ステーション端末との通信状況に応じて、前記ステーション端末が自機との間で通信が可能な圏内にあるか否かを第１の判別手段が判別する第１の判別ステップと、
通信回線が接続されていて使用中であるか否かを第２の判別手段が判別する第２の判別ステップと、
前記第２の判別ステップにおいて前記通信回線が使用中であると判別した場合であって、前記第１の判別ステップにおいて前記ステーション端末が圏内にないと判別した場合に、切断手段が、通信の相手先に対する切断要求を、前記サーバ装置を通じて通信の相手先に送信し、前記切断要求に応じて前記通信の相手先から送信されてくる切断要求受理メッセージを受信して、前記通信の相手先との間に接続している前記通信回線を切断する切断ステップと、
前記第２の判別ステップにおいて前記通信回線が使用中でないと判別した場合であって、前記第１の判別ステップにおいて前記ステーション端末が圏内にないと判別した場合に、離脱要求送信手段が離脱要求を前記サーバ装置に送信すると共に、前記第２の判別ステップにおいて前記通信回線が使用中であると判別した場合であって、前記第１の判別ステップにおいて前記ステーション端末が圏内にないと判別した場合には、前記切断ステップを通じて、前記通信回線を切断した後に、前記離脱要求送信手段が前記離脱要求を前記サーバ装置に送信する離脱要求送信ステップと、
前記離脱要求送信ステップにおいて前記離脱要求を送信した後に、前記第１の判別ステップにおいて前記ステーション端末が圏内にあると判別された場合に、接続要求送信手段が前記サーバ装置に対する接続要求を前記サーバ装置に送信する接続要求送信ステップと
を実行することを特徴とする通信システムへの離脱／接続プログラム。
【請求項５】
広域ネットワークに接続されるサーバ装置に対して、ユーザによって操作されるステーション端末と１対１で無線接続されるベース装置が接続されて形成される通信システムであって、
前記ベース装置は、
前記ステーション端末との通信状況に応じて、前記ステーション端末が自機との間で通信が可能な圏内にあるか否かを判別する第１の判別手段と、
通信回線が接続されていて使用中であるか否かを判別する第２の判別手段と、
前記第２の判別手段により前記通信回線が使用中であると判別された場合であって、前記第１の判別手段により前記ステーション端末が圏内にないと判別された場合に、通信の相手先に対する切断要求を、前記サーバ装置を通じて前記通信の相手先に送信し、前記切断要求に応じて前記通信の相手先から送信されてくる切断要求受理メッセージを受信して、前記通信の相手先との間に接続している前記通信回線を切断する切断手段と、
前記第２の判別手段により前記通信回線が使用中でないと判別された場合であって、前記第１の判別手段により前記ステーション端末が圏内にないと判別された場合に、離脱要求を前記サーバ装置に送信すると共に、前記第２の判別手段により前記通信回線が使用中であると判別された場合であって、前記第１の判別手段により前記ステーション端末が圏内にないと判別された場合には、前記切断手段を通じて、前記通信回線を切断した後に、前記離脱要求を前記サーバ装置に送信する離脱要求送信手段と、
前記離脱要求送信手段により前記離脱要求が送信された後に、前記第１の判別手段により前記ステーション端末が圏内にあると判別された場合に、前記サーバ装置に対する接続要求を前記サーバ装置に送信する接続要求送信手段と
を備え、
前記ステーション端末は、
所定のタイミング毎に、前記ベース装置に対して接続確認用の信号を送信する送信手段を備え、
前記サーバ装置は、
自機に接続される１以上のベース装置毎に離脱／接続の別を管理する管理情報を記憶する管理情報記憶手段と、
前記ベース装置からの前記離脱要求を受信する離脱要求受信手段と、
前記離脱要求受信手段を通じて前記離脱要求を受信した場合に、前記管理情報記憶手段の当該離脱要求を送信してきたベース装置の前記管理情報を当該ベース装置が離脱したことを示すように更新する第１の更新手段と、
前記ベース装置からの前記接続要求を受信する接続要求受信手段と、
前記接続要求受信手段を通じて前記接続要求を受信した場合に、前記管理情報記憶手段の当該接続要求を送信してきたベース装置の前記管理情報を当該ベース装置が接続したことを示すように更新する第２の更新手段と
前記管理情報記憶手段に記憶されている前記管理情報を考慮して、着信時の処理を実行する着信処理手段と、
前記ベース装置からの前記切断要求を通信の相手先に送信し、前記通信の相手先からの前記切断要求受理メッセージを前記ベース装置に送信する手段と
を備えることを特徴とする通信システム。
【発明の詳細な説明】
【技術分野】
【０００１】
この発明は、例えば、主装置やＳＩＰ（Session Initiation Protocol）サーバ装置に接続されるベース装置と、このベース装置に対して１対１で無線接続されるステーション端末とからなるシステム、当該ベース装置で用いられる方法、プログラム、および主装置やＳＩＰサーバ装置などの装置をも含む通信システムに関する。
【背景技術】
【０００２】
いわゆるコードレス電話システムが、会社などに形成される電話システムに広く利用されるようになってきている。この場合のコードレス電話システムは、主装置やＳＩＰサーバ装置に接続される無線基地局装置あるいは親機などと呼ばれる機器と、無線電話機あるいは子機などと呼ばれる機器とが、近距離無線通信によって接続されて構成されるものである。無線基地局装置（親機）と無線電話機（子機）とは無線接続されるので、コードが邪魔になるなどのことがなく、使い勝手の良い電話システムが実現できる。
【０００３】
しかし、無線基地局装置（親機）と無線電話機（子機）とが離れすぎた場合には、無線通信ができなくなり、電話機として機能しなくなる。このため、後に記す特許文献１には、無線基地局装置（親機）に対して無線電話機（子機）が圏外になったときに、それを検知して当該無線電話機（子機）側に警告音（アラーム）を出したり、無線基地局装置（親機）から通話の相手先に対して保留音を出したりする発明が開示されている。また、特許文献２には、無線基地局装置（親機）に対して無線電話機（子機）が圏外になり、通話が切断されてしまった場合にかけ直しを円滑に行えるようにする発明が開示されている。
【先行技術文献】
【特許文献】
【０００４】
【特許文献１】特開平６−３３４７１７号公報
【特許文献２】特開２００９−１６４６７１号公報
【発明の概要】
【発明が解決しようとする課題】
【０００５】
上述の特許文献１、特許文献２に記載された発明は、無線基地局装置（親機）と無線電話機（子機）とが、または、主装置やＳＩＰサーバと無線基地局装置（親機）とが統一された設計思想の下に開発された統一の取れた同じ仕様のシステムで実現される。すなわち、始めから統一の取れたシステムであるために、無線基地局装置（親機）と主装置などが予め決められた独自の手順で動作することによって、通話の相手先にメッセージを出すなどのことが簡単に実現することができる。
【０００６】
しかしながら、会社などに形成される電話システムの場合、出来るだけ汎用的な機器によって構成することによって、システム全体を安価に構成し、システムの増設や縮小、さらには故障時の代替などが柔軟に行えるようにしたいとする要求もある。このため、汎用的に利用可能な主装置やＳＩＰサーバ装置、これらに接続される汎用的に利用可能なコードレス電話システムの提供が望まれる。
【０００７】
このような汎用的に利用可能な機器を利用する場合、主装置やＳＩＰサーバと無線基地局装置（親機）との間では細かい処理手順を事前に設定しておくことはしていないので、上述した特許文献１、特許文献２に記載されているような独自の制御を行うことは出来ない。しかし、いくら汎用的に利用可能な機器を用いて構成した通信システムであっても、無線基地局装置（親機）に対して無線電話機（子機）が圏外である場合に、電話を掛けてきた相手先などに対して適切な対応を取ることができないのでは、通信システム全体の信頼性を阻害してしまう。
【０００８】
以上のことに鑑み、この発明は、無線基地局装置（親機）に相当する機器に対して無線電話機（子機）に相当する機器が圏外である場合に、通信システム自体に大きな変更を加えることなく適切な対応を取ることができるようにすることを目的とする。
【課題を解決するための手段】
【０００９】
上記課題を解決するため、請求項１に記載の発明の無線通信システムは、
広域ネットワークに接続されたサーバ装置に対して接続されるベース装置と、前記ベース装置に対して１対１で無線接続され、ユーザによって操作されるステーション端末とから形成される無線通信システムであって、
前記ベース装置は、
前記ステーション端末との通信状況に応じて、前記ステーション端末が自機との間で通信が可能な圏内にあるか否かを判別する第１の判別手段と、
通信回線が接続されていて使用中であるか否かを判別する第２の判別手段と、
前記第２の判別手段により前記通信回線が使用中であると判別された場合であって、前記第１の判別手段により前記ステーション端末が圏内にないと判別された場合に、通信の相手先に対する切断要求を、前記サーバ装置を通じて前記通信の相手先に送信し、前記切断要求に応じて前記通信の相手先から送信されてくる切断要求受理メッセージを受信して、前記通信の相手先との間に接続している前記通信回線を切断する切断手段と、
前記第２の判別手段により前記通信回線が使用中でないと判別された場合であって、前記第１の判別手段により前記ステーション端末が圏内にないと判別された場合に、離脱要求を前記サーバ装置に送信すると共に、前記第２の判別手段により前記通信回線が使用中であると判別された場合であって、前記第１の判別手段により前記ステーション端末が圏内にないと判別された場合には、前記切断手段により前記通信回線を切断した後に、前記離脱要求を前記サーバ装置に送信する離脱要求送信手段と、
前記離脱要求送信手段により前記離脱要求が送信された後に、前記第１の判別手段により前記ステーション端末が圏内にあると判別された場合に、前記サーバ装置に対する接続要求を前記サーバ装置に送信する接続要求送信手段と
を備え、
前記ステーション端末は、
所定のタイミング毎に、前記ベース装置に対して接続確認用の信号を送信する送信手段を備えることを特徴とする。
【００１３】
このように、ベース装置は、ステーション端末が圏外か否かに応じて、通信システムから離脱することや通信システムに接続することを適切なタイミングでサーバ装置に対して通知して登録することができるようにされる。これにより、サーバ装置において、ベース装置が通信システムに接続された状態にあるか否かを適切に判別し、着信時や通話時における処理を適切に行うことができるようにされる。すなわち、サーバ装置を含めた通信システムに大きな変更を加えることなく、適切な対応を取ることが可能な無線通信システムを実現することができるようにされる。
【発明の効果】
【００１４】
主装置やＳＩＰサーバ装置に対して接続可能であって、無線基地局装置（親機）に相当する機器に対して無線電話機（子機）に相当する機器が圏外である場合に、システム自体に大きな変更を加えることなく適切な対応を取ることができる無線通信システムが実現できる。
【図面の簡単な説明】
【００１５】
【図１】実施の形態の通信システムの全体の概要について説明するためのブロック図である。
【図２】実施の形態の通信話システムで用いられるＳＩＰサーバ１を説明するためのブロック図である。
【図３】アドレス管理ＤＢ１０６に形成される管理情報（データベース）の構成例について説明するための図である。
【図４】実施の形態の通信システムで用いられるベース装置２を説明するためのブロック図である。
【図５】実施の形態の通信システムで用いられるステーション端末３を説明するためのブロック図である。
【図６】ベース装置２がＳＩＰサーバ１に対して行う登録離脱シーケンスについて説明するためのシーケンス図である。
【図７】ベース装置２がＳＩＰサーバ１に対して行う登録開始シーケンスについて説明するためのシーケンス図である。
【図８】ステーション端末３がベース装置２に対して圏外になった場合の相手機器をも含めた保留呼切断シーケンスについて説明するためのシーケンス図である。
【図９】ステーション端末３がベース装置２に対して圏外になった場合の相手機器をも含めた通話切断シーケンスについて説明するためのシーケンス図である。
【図１０】ベース装置２において実行される処理について説明するためのフローチャートである。
【発明を実施するための形態】
【００１６】
以下、図を参照しながら、この発明のシステム、方法、プログラムの一実施の形態について説明する。
【００１７】
［通信システムの概要］
図１は、この実施の形態の通信システムの全体の概要について説明するためのブロック図である。図１に示すように、この実施の形態の通信システムは、ＳＩＰサーバ１に対して、有線ＬＡＮ（Local Area Network）５を通じて複数のベース装置２（１）、２（２）、２（３）、…が接続されて形成される。
【００１８】
ベース装置２（１）、２（２）、２（３）、…のそれぞれに対しては、１対１に対応するステーション端末３（１）、３（２）、３（３）、…のそれぞれが、近距離無線通信により接続するようにされている。この実施の形態において、ベース装置２（１）、２（２）、２（３）、…のそれぞれと、対応するステーション端末３（１）、３（２）、３（３）、…のそれぞれとは、例えば、ＢｌｕｅＴｏｏｔｈ方式の近距離無線通信により接続するようにされている。
【００１９】
ＳＩＰサーバ１は、ＬＡＮ５だけではなく、図示しないがＩＰ網や電話網などの広域ネットワークにも接続されている。ＩＰ網は、通信プロトコルとしてＩＰ（Internet Protocol）を用いて通信を行うネットワークを意味し、具体的にはインターネットである。また、電話網は、ＰＳＴＮ（Public Switched Telephone Network）などと呼ばれるアナログ方式の公衆交換電話網やＩＳＤＮ（Integrated Services Digital Network）などと呼ばれるデジタル回線網などである。
【００２０】
そして、この実施の形態においては、図１に示すように、ベース装置２（１）、２（２）、２（３）、…のそれぞれと、対応するステーション端末３（１）、３（２）、３（３）、…のそれぞれとにより、無線通信システムとしてのコードレス電話システム４（１）、４（２）、４（３）、…を構成している。
【００２１】
この実施の形態の通信システムにおいて、ベース装置２（１）、２（２）、２（３）、…のそれぞれは、対応するステーション端末３（１）、３（２）、３（３）、…のそれぞれと協働し、ＬＡＮ５を通じてＳＩＰサーバ１に接続して電話通信を可能にするものである。このように、ベース装置２は、従来からのコードレス電話システムの無線基地局装置あるいは親機と呼ばれるものに相当する。
【００２２】
しかし、この実施の形態のベース装置２（１）、２（２）、２（３）、…のそれぞれは、ユーザからの操作などを受け付ける手段は備えず、ユーザからの操作入力を受け付けたり、ベース装置２自体が通話を行うようにしたりすることはない。このため、従来からのコードレス電話システムにおける通話が可能な無線基地局装置あるいは親機と区別するため、この実施の形態ではベース装置と称している。
【００２３】
一方、ステーション端末３（１）、３（２）、３（３）、…のそれぞれは、詳しくは後述もするように、ユーザからの操作を受け付けるキー操作部やユーザに情報を提示するＬＥＤ（Light Emitting Diode）やＬＣＤ（Liquid Crystal Display）などを備える。そして、ステーション端末３は、ユーザによって直接に使用される。そして、ステーション端末３は、対応するベース装置２と協働して電話端末としての機能を実現する。
【００２４】
このように、ステーション端末３は、従来からのコードレス電話システムの無線電話機あるいは子機と呼ばれるものに相当する。しかし、この実施の形態のコードレス電話システムでは、ベース装置２自体はユーザの操作を受け付けて通話をする機能を備えないものであり、必ずステーション端末３を通じて応答することになる。このため、従来のコードレス電話システムにおける無線電話機あるいは子機とは区別するため、ステーション端末と称している。
【００２５】
なお、この実施の形態において、ベース装置２（１）、２（２）、２（３）、…のそれぞれは、基本的には同様の構成を有するものである。このため、以下においては、特に区別する必要がある場合を除き、ベース装置２（１）、２（２）、２（３）、…のそれぞれを、ベース装置２と総称する。
【００２６】
同様に、ステーション端末３（１）、３（２）、３（３）、…のそれぞれもまた、基本的には同様の構成を有するものである。このため、以下においては、特に区別する必要がある場合を除き、ステーション端末３（１）、３（２）、３（３）、…のそれぞれを、ステーション端末３と総称する。したがって、コードレス電話システム４（１）、４（２）、４（３）、…についても、特に区別する必要がある場合を除き、これらを、コードレス電話システム４と総称する。
【００２７】
そして、この実施の形態において、ＳＩＰサーバ１は種々のＩＰ電話機が接続可能な汎用的なものである。また、ベース装置２とステーション端末３とからなるコードレス電話システム４もまたＩＰ電話機として利用可能な汎用的なものである。このため、ＳＩＰサーバ１に対しては、ベース装置２とステーション端末３とからなるコードレス電話システム４を簡単に増やしたり、減らしたりすることが可能である。
【００２８】
このように、ＳＩＰサーバ１とコードレス電話システム４とは汎用的に用いられるものであり、統一した設計思想の下に製造されたシステムではない。このため、ＳＩＰサーバ１とコードレス電話システム４との間では予め決められた独自の制御ができない。
【００２９】
しかし、ベース装置２に対してステーション端末３が圏外となった場合における着信時の処理や通話時等の処理が適切に行えないのでは、ＳＩＰサーバ１を含めた通信システム全体の信頼性を阻害してしまう。そこで、この実施の形態のコードレス電話システム４においては、ベース装置２に対してステーション端末３が圏外になった場合には、ベース装置２がＳＩＰサーバ１に対して自機を離脱させるように要求する。換言すれば、ベース装置２は、ステーション端末３が圏外になった場合、ＳＩＰサーバ１を中心とする通信システムから自機を離脱させるようにＳＩＰサーバ１に離脱の登録を行うようにする。
【００３０】
また、この実施の形態のコードレス電話システム４においては、ベース装置２に対してステーション端末３が圏外にある状態から圏内に復帰した場合、ベース装置２がＳＩＰサーバ１に対して自機を接続させるように要求する。換言すれば、ベース装置２は、ステーション端末３が圏外から圏内に復帰した場合には、ＳＩＰサーバ１を中心とする通信システムに対して自機を接続するようにＳＩＰサーバ１に接続の登録を行うようにする。
【００３１】
これにより、ＳＩＰサーバ１が、自機に接続されていないコードレス電話システム４に対して着信を行うことを防止する。したがって、ステーション端末３が圏外であるベース装置２に対して着信を行ってしまうことによって、いわゆる無音となる通話を作成しないようにすることができる。
【００３２】
また、通話中にステーション端末３がベース装置２の圏外となり、その後復帰してきた場合に、知らない間に通話が開始されてしまうと言ったことを防止することができる。すなわち、ベース装置２に対してステーション端末３が圏外になった場合には、ベース装置２はＳＩＰサーバ１から離脱する。これにより、ステーション端末３がベース装置２の圏内に復帰した場合、ＳＩＰサーバ１への接続が再登録されないうちは通話が自動的に再開されることがないようにすることができる。
【００３３】
換言すれば、ベース装置２とステーション端末３とからなるコードレス電話システムがアイドル状態（待ち受け状態）以外では、通話を行えないようにすることができる。すなわち、ステーション端末３がベース装置２に対して圏外になった場合には、接続された通信回線を自動的に切断し、電話が切れたことを通話の双方に認識させ、電話を掛け直すなどといった適切な対応を取ることができるようにされる。
【００３４】
このような構成を有するこの実施の形態において、ベース装置２とステーション端末３とからなるコードレス電話システム４が、この発明の無線通信システムの一実施の形態が適用されたものである。また、当該コードレス電話システム４のベース装置２で用いられる方法、プログラムが、この発明の離脱／接続方法、離脱／接続プログラムの一実施の形態が適用されたものである。さらに、ＳＩＰサーバ１と、コードレス電話システム４とから形成される通信システムが、この発明の通信システムの一実施の形態が適用されたものである。
【００３５】
［ＳＩＰサーバ１の構成と動作概要］
次に、図１に示したＳＩＰサーバ１の構成例と動作について説明する。ＳＩＰサーバ１は、通信回線を接続する端末間のアドレス解決をするものである。このため、ＬＡＮ５に接続されたコードレス電話システム４のそれぞれは、内線、外線を問わず、ＳＩＰサーバ１を介して通話路が生成され、通話を行うことができるようにされる。つまり、ＳＩＰサーバ１は、レジストラ・サーバ機能とプロキシ・サーバ機能とを備え、これらの機能を用いることによって、ＬＡＮ５に接続されたコードレス電話システム４間や、ＬＡＮ５に接続された機器とＩＰ網や電話網に接続された機器間に、通信回線を接続することができるようにするものである。
【００３６】
図２は、この実施の形態の通信システムで用いられるＳＩＰサーバ１を説明するためのブロック図である。図２に示すように、ＳＩＰサーバ１は、ＩＰ網への接続端子１０１と、ＩＰ網インターフェース（以下、ＩＰ網Ｉ／Ｆと略称する。）１０２と、パケット分解／生成部１０３とを備えている。また、ＳＩＰサーバ１は、電話網インターフェース（以下、電話網Ｉ／Ｆと略称する。）１０４と、電話網への接続端子１０５と、アドレス管理データベース（以下、アドレス管理ＤＢと略称する。）１０６とを備えている。さらに、ＳＩＰサーバ１は、ＬＡＮインターフェース（以下、ＬＡＮＩ／Ｆと略称する。）１０７と、ＬＡＮ５への接続端子１０８と、制御部１１０とを備えている。
【００３７】
制御部１１０は、この実施の形態のＳＩＰサーバ１の各部を制御するものであり、図２に示すように、ＣＰＵ（Central Processing Unit）１１１、ＲＯＭ（Read Only Memory）１１２、ＲＡＭ（Random Access Memory）１１３がＣＰＵバス１１４を通じて接続されて構成されたマイクロコンピュータである。ここで、ＣＰＵ１１１は、ＲＯＭ１１２に記憶保持されているプログラムを実行することにより、各部を制御するための制御信号を生成して各部に供給したり、各部からの情報を処理したりするものである。ＲＯＭ１１２は、上述のように、ＣＰＵ１１１で実行される種々のプログラムや処理に必要となる種々のデータを記憶保持しているものである。
【００３８】
また、ＲＡＭ１１３は、処理の途中結果を一時記憶するなど、主に、作業領域として用いられるものである。なお、図示しないが、例えば、ＥＥＰＲＯＭ（Electrically Erasable and Programmable ROM）やフラッシュメモリーなどのいわゆる不揮発性メモリを備え、電源が落とされても保持しておくべきデータ、例えば、種々の設定パラメータや機能アップのために提供された新たなプログラムなどについても記憶保持することができるようにされている。
【００３９】
そして、接続端子１０１はＩＰ網への接続端部を構成するものである。ＩＰ網Ｉ／Ｆ１０２は、ＩＰ網との間でデータを送受するようにするためのものである。すなわち、ＩＰ網Ｉ／Ｆ１０２は、ＩＰ網を通じて供給されるパケットを受け付けて、これを自機において処理可能な形式のパケットに変換して制御部１１０に供給する。また、ＩＰ網Ｉ／Ｆ１０２は、制御部１１０を通じて供給される送信すべきパケットを送信用の形式のパケットに変換して、これをＩＰ網に送出する。
【００４０】
また、接続端子１０５は電話網への接続端部を構成するものである。電話網Ｉ／Ｆ１０４は、電話網との間でデータを送受するようにするためのものである。電話網Ｉ／Ｆ１０４は、電話網を通じて供給されるデータを受け付けて、これを自機において処理可能な形式のデータに変換して制御部１１０に供給する。また、電話網Ｉ／Ｆ１０４は、制御部１１０を通じて供給される送信すべきデータを送信用の形式のデータに変換して、これを電話網に送出する。
【００４１】
また、接続端子１０８はＬＡＮ５への接続端部を構成するものである。ＬＡＮＩ／Ｆ１０７は、この実施の形態の通信システムを形成するためのＬＡＮ５との間でデータを送受するようにするためのものである。ＬＡＮＩ／Ｆ１０７は、ＬＡＮ５を通じて供給されるパケットを受け付けて、これを自機において処理可能な形式のパケットに変換して制御部１１０に供給する。また、ＬＡＮＩ／Ｆ１０７は、制御部１１０を通じて供給される送信すべきパケットを送信用の形式のパケットに変換して、これをＬＡＮ５に送出する。
【００４２】
そして、パケット分解／生成部１０３は、パケットの分解や生成を行うものである。具体的には、ＳＩＰサーバ１に対して、ＬＡＮ接続されているコードレス電話システム４からの電話網に接続された端末装置に送信すべきパケットは、接続端子１０８、ＬＡＮＩ／Ｆ１０７を通じて制御部１１０に受け付けられた後、パケット分解／生成部１０３においてパケット分解された後に、電話網Ｉ／Ｆ１０４、接続端子１０５を通じて電話網に送出され、目的とする相手先に送信するようにされる。
【００４３】
また、電話網に接続された端末装置からのＬＡＮ接続されているコードレス電話システム４へのデータは、接続端子１０５、電話網Ｉ／Ｆ１０４を通じて受け付けられた後、パケット分解／生成部１０３において、所定の形式のパケットとされ、これがＬＡＮＩ／Ｆ１０７、接続端子１０８を通じて、ＬＡＮ５に送出されて、目的とするコードレス電話システム４に送信するようにされる。
【００４４】
なお、ＩＰ網に接続された端末と、ＳＩＰサーバ１にＬＡＮ接続されたコードレス電話システム４等との間では、パケットが送受されるため、パケット分解／生成部１０３において、パケットの分解や生成は行われることはなく、ＩＰ網Ｉ／Ｆ１０２、ＬＡＮＩ／Ｆ１０７において、データ形式が整えられてそのまま送受するようにされる。
【００４５】
そして、アドレス管理ＤＢ１０６は、上述したレジストラ・サーバ機能を実現するために、ＩＰ網やＬＡＮ５に接続され、このＳＩＰサーバ１を通じて呼び出す可能性のある端末装置についてのアドレス情報を記憶保持するものである。具体的には、ＳＩＰサーバ１の制御部１１０は、ＩＰ網Ｉ／Ｆ１０２やＬＡＮＩ／Ｆ１０７を通じて、これらに接続されている種々の端末装置からの登録要求（レジスタ・リクエスト）を受信した場合に、これに含まれるＵＲＩ（Uniform Resource Identifier）やＩＰアドレスなどのアドレス情報を抽出し、抽出したアドレス情報をアドレス管理ＤＢ１０６に登録したり、抽出アドレス情報を用いてアドレス管理ＤＢ１０６の登録情報を更新したりする。
【００４６】
このようにして、アドレス管理ＤＢ１０６に登録されて管理される情報が参照され、自機にＬＡＮ接続されているコードレス電話システム４などから要求のあった通信先を確実に特定し、その特定した相手先に送信すべき情報（パケットデータ）を転送するようにするプロキシ・サーバとしての機能を実現するようにしている。また、アドレス管理ＤＢ１０６に登録されて管理される情報は、自機にＬＡＮ接続されているコードレス電話システム４などへの着信の判別などにも用いられる。
【００４７】
［アドレス管理ＤＢ１０６の管理情報の具体例］
ここで、アドレス管理ＤＢ１０６内に形成される管理情報の具体例について説明する。図３は、アドレス管理ＤＢ１０６に形成される管理情報（データベース）の構成例について説明するための図である。ＳＩＰサーバ１のアドレス管理ＤＢ１０６には、当該ＳＩＰサーバ１にＬＡＮ接続されたコードレス電話システム４などについてのアドレス情報のほか、ＩＰ網に接続された他のＩＰ電話システムの端末装置のアドレス情報をも管理することができるものである。
【００４８】
基本的にアドレス管理ＤＢ１０６に形成される管理情報は、ＩＰ網に接続された端末装置から送信されてくるＵＲＩ（ＳＩＰ  ＵＲＩ）と、ＩＰアドレスであるが、ＳＩＰサーバ１のアドレス管理ＤＢ１０６には、ＳＩＰサーバ１にＬＡＮ接続されたコードレス電話システム４については、コードレス電話システム毎に予め付加されているＭＡＣ（Media Access Control）アドレス、内線番号、離脱／接続区分についても登録される。
【００４９】
すなわち、種々のＳＩＰサーバにおいては、自機に接続されたＩＰ電話機についての情報が管理されるが、この実施の形態のＳＩＰサーバ１においては、管理ＤＢ１０６において、自機に接続されるＩＰ電話機であるコードレス電話システム４のそれぞれの管理をも行うようにしている。
【００５０】
そして、この実施の形態の通信システム内のコードレス電話システム４から当該通信システム外のＩＰ網に接続された端末装置に対して電話をかける場合には、ＳＩＰサーバ１は自己のアドレス管理ＤＢ１０６の管理情報に基づいて、目的とする相手先の端末装置に対して、メッセージの転送を行うようにしている。また、ＬＡＮ５に接続されているコードレス電話システム４に対してかかってきた外線や、ＬＡＮ５に接続されたコードレス電話システム４間の内線の場合には、ＳＩＰサーバ１は、送信されてきたメッセージを受け付けて、これを自システム内に送出するようにしている。
【００５１】
なお、発信に際して、ＩＰ電話番号が用いられる場合には、図１には図示しなかったが、ＩＰ網に接続されているゲートウエイやＤＮＳ（Domain Name System）が利用されて、ＩＰ電話番号からＵＲＩなどが検索されて用いられることになる。相手先から、この実施の形態の電話システムを構成するＩＰ電話機に対して、ＩＰ電話番号を用いて電話をかける場合においても同様に、ＩＰ網に接続されているゲートウエイやＤＮＳが利用されて、ＩＰ電話番号からＵＲＩなどが検索されて用いられることになる。
【００５２】
このように、この実施の形態のＳＩＰサーバ１は、パケット分解／生成部１０３やアドレス管理ＤＢ１０６を備え、ＳＩＰサーバ１が接続される種々のネットワークに接続される端末間のメッセージの中継を行うことができるものである。
【００５３】
そして、この実施の形態のＳＩＰサーバ１は、自機にＬＡＮ５を通じて接続されるコードレス電話システム４のベース装置２からの要求に応じて、アドレス管理ＤＢ１０６の離脱／接続区分を更新することができるものである。これにより、ＳＩＰサーバ１は、自機に接続されたコードレス電話システム４に対する一斉着信があった時には、離脱しているコードレス電話システム４を除く他のコードレス電話システム４に対して通常の着信処理を行うようにすることができる。
【００５４】
また、ＳＩＰサーバ１は、自機に接続されている特定のコードレス電話システム４に対する着信があり、そのコードレス電話システム４が離脱中である場合には、発呼元の相手端末に対して、当該コードレス電話システム４が接続されていない場合の所定の処理を行うようにすることができる。したがって、離脱中のコードレス電話システム４に対して呼び出しを行い、無音となる通話を形成しないようにすることができる。
【００５５】
また、通話中にベース装置２に対してステーション端末３が圏外になってしまった場合にも、ベース装置２はＳＩＰサーバ１に対して、離脱の要求をし、これを登録することができる。したがって、ステーション端末３がベース装置２の圏内に復帰しても、ユーザが知らない内に通話が接続されてしまうようなことがないようにすることができる。
【００５６】
［ベース装置２の構成と動作概要］
次に、図１に示したコードレス電話システム４のベース装置２の構成例と動作について説明する。図４は、この実施の形態の通信システムで用いられるベース装置２を説明するためのブロック図である。
【００５７】
図４に示すように、この実施の形態のベース装置２は、ＬＡＮへの接続端子２０１と、ＬＡＮＩ／Ｆ２０２と、送信用処理回路２０３と、受信用処理回路２０４と、送信アンプ２０５と、受信アンプ２０６と、アンテナ共用器２０７と、送受信アンテナ２０８と、制御部２１０とを備えている。
【００５８】
制御部２１０は、図４に示すように、ＣＰＵ２１１と、ＲＯＭ２１２と、ＲＡＭ２１３とがＣＰＵバス２１４によって接続されて形成されたマイクロコンピュータである。ＣＰＵ２１１は、ＲＯＭ２１２に記憶保持されているプログラムを実行することにより、各部を制御するための制御信号を生成して各部に供給したり、各部からの情報を処理したりするものである。ＲＯＭ２１２は、上述のように、ＣＰＵ２１１で実行される種々のプログラムや処理に必要となる種々のデータを記憶保持しているものである。また、ＲＡＭ２１３は、処理の途中結果を一時記憶するなど、主に、作業領域として用いられるものである。
【００５９】
また、制御部２１０は、パケット分解／生成部２１５と、離脱／接続要求生成部２１６と、情報種別判別部２１７と、圏外／圏内判別部２１８と、時計回路２１９とを備えている。パケット分解／生成部２１５と、離脱／接続要求生成部２１６と、情報種別判別部２１７と、圏外／圏内判別部２１８とのそれぞれは、ＣＰＵ２１１によって制御可能とされる回路装置部として構成することも可能である。しかし、この実施の形態において、パケット分解／生成部２１５と、離脱／接続要求生成部２１６と、情報種別判別部２１７と、圏外／圏内判別部２１８とのそれぞれの機能は、ＣＰＵ２１１、ＲＯＭ２１２、ＲＡＭ２１３により構成されるマイクロコンピュータにおいて実行されるソフトウエアにより実現されるものである。
【００６０】
また、時計回路２１９は、現在年月日、現在曜日、現在時刻を提供することができると共に、制御部２１０の制御に応じて、例えば、パケットの受信間隔など、目的とする間隔を計測するなどのいわゆるタイマ機能をも実現することができるものである。
【００６１】
そして、接続端子２０１は、ＬＡＮ５への接続端部を構成するものである。ＬＡＮＩ／Ｆ２０２は、ＬＡＮ５を通じてデータを送受するためのものである。すなわち、ＬＡＮＩ／Ｆ２０２は、ＬＡＮ５を通じて供給されるパケットを受け付けて、これを自機において処理可能な形式のパケットに変換して制御部２１０に供給する。また、ＬＡＮＩ／Ｆ２０２は、制御部２１０を通じて供給される送信すべきパケットを送信用の形式のパケットに変換して、これをＬＡＮ５に送出する。
【００６２】
ベース装置２では、接続端子２０１、ＬＡＮＩ／Ｆ２０２を通じて得たＳＩＰサーバ１からの送信用パケットは、制御部２１０に供給される。制御部２１０は、これに供給されたパケットのうち、自機宛ての音声パケットは、送信用処理回路２０３、送信アンプ２０５、アンテナ共用器２０７を介して送受信アンテナ２０８に供給し、ステーション装置３に対して送信する。
【００６３】
ここで、送信用処理回路２０３は、制御部２１０からのパケットから実際に送信する形式の送信用パケットを形成するものである。送信アンプ２０５は、送信用パケットを所定のレベルにまで増幅するものである。また、アンテナ共用器２０７は、自機から送信する信号と自機が受信する信号とが影響を及ぼし合うことがないようにするためのものである。
【００６４】
また、制御部２１０に供給されたパケットのうち、そのヘッダの情報から自機宛ての制御情報である判別したものは、パケット分解／生成部２１５において分解する。そして、情報種別判別部２１７が、パケット分解された情報を解析し、その情報の種別や内容を判別する。情報種別判別部２１７において、ＳＩＰサーバ１からの当該パケットは、自機に対する制御情報であると判別した場合には、当該データはベース装置２において利用する。
【００６５】
また、情報種別判別部２１７において、ＳＩＰサーバ１からの当該パケットは、自機に接続されるステーション端末３に対する制御情報、例えば、外線の接続状態を通知するための情報などであると判別したとする。この場合には、ＳＩＰサーバ１からの当該パケットに応じた情報から、パケット分解／生成部２１５においてステーション端末３用の制御パケットを生成する。ここで生成されたステーション端末３用の制御パケットは、送信用処理回路２０３、送信アンプ２０５、アンテナ共用器２０７を介して送受信アンテナ２０８に供給され、ステーション装置３に対して送信される。これにより、ステーション端末３において、その制御パケットに応じた処理、例えば、接続や切断が通知された外線に対応するＬＥＤの点灯／消灯制御などが行われる。
【００６６】
一方、送受信アンテナ２０８、アンテナ共用器２０７、受信アンプ２０６、受信用処理回路２０４を通じて受信したステーション端末３からのパケットは、制御部２１０に供給される。ここで、受信アンプ２０６は、送受信アンテナ２０８およびアンテナ共用器２０７を通じて受信されたパケットを所定のレベルにまで増幅するものである。また、受信信号処理回路２０４は、受信したパケットを自機において処理可能な形式の信号に変換し、これを制御部２１０に供給するものである。
【００６７】
そして、受信信号処理回路２０４から制御部２１０に供給されたパケットのうち、相手先に対する音声パケットは、ＬＡＮＩ／Ｆ２０２および接続端子２０１を通じてＬＡＮ５に送出され、ＳＩＰサーバ１に送信される。これにより、ＳＩＰサーバ３を通じて、通信の相手先に送信するようにされる。
【００６８】
また、受信信号処理回路２０４から制御部２１０に供給されたパケットのうち、そのヘッダの情報から制御情報である判別したものは、パケット分解／生成部２１５において分解する。そして、情報種別判別部２１７が、パケット分解された情報を解析し、その情報の種別や内容を判別する。情報種別判別部２１７において、ステーション端末３からの当該パケットデータは、自機に対する制御情報であると判別した場合には、当該データはベース装置２において利用する。
【００６９】
また、情報種別判別部２１７において、ステーション端末３からの当該パケットは、例えば、発呼要求などのＳＩＰサーバ１に対する要求や制御情報などであると判別したとする。この場合には、ステーション端末３からの当該パケットに応じた情報から、パケット分解／生成部２１５においてＳＩＰサーバ１用の制御パケットを生成する。ここで生成されたステーション端末３用の制御パケットは、ＬＡＮＩ／Ｆ２０２、接続端子２０１を通じて、ＬＡＮ５に送出され、ＳＩＰサーバ１に送信される。これにより、ＳＩＰサーバ１において、ステーション端末３からの要求等に応じた処理が行われる。
【００７０】
また、この実施の形態のベース装置２とステーション端末３との間では、所定のタイミング毎に接続確認用のパケットの送受を行うようにしている。すなわち、ステーション端末３は、自機の識別情報等を含む接続確認用のパケットを所定のタイミング毎に送信する。当該接続確認用のパケットは、上述もしたように、ベース装置２において、送受信アンテナ２０８、アンテナ共用器２０７、受信アンプ２０６、受信用処理回路２０４を通じて受信され、制御部２１０に供給される。
【００７１】
そして、パケット分解／生成部２１５で分解され、その内容が情報種別判別部２１７において判別される。そして、制御部２１０が自機に接続されるべきステーション端末３からの接続確認用のパケットであると判別したときには、制御部２１０は、応答メッセージを形成し、これをパケット分解／生成部２１５においてパケット化する。ここでパケット化された応答メッセージは、上述もしたように、送信用処理回路２０３、送信アンプ２０５、アンテナ切換回路２０７、送受信アンテナ２０８を通じてステーション端末３に送信される。
【００７２】
そして、圏外／圏内判定部２１８は、上述したステーション端末３からの接続確認用のパケットデータを所定のタイミングで受信しているか否かにより、ステーション端末３が圏外にあるか、圏内にあるかを判定するようにしている。具体的に、圏外／圏内判定部２１８は、時計回路２１９と協働し、ステーション端末３からの接続確認用のパケットデータの受信間隔を計測する。そして、圏外／圏内判定部２１８は、前回受信してから一定時間内に新たな接続確認用のパケットデータを受信していないと判別した場合に、ステーション端末３は圏外になったと判定する。この判定結果は、制御部２１０に通知される。
【００７３】
この場合、制御部２１０は、離脱／接続要求生成部２１６を制御し、ＳＩＰサーバ１に対する自機の離脱要求を生成する。ここで生成された離脱要求は、パケット分解／生成部２１５において、パケット化され、このパケット化された離脱要求が、ＬＡＮＩ／Ｆ２０２、接続端子２０１を通じてＬＡＮ５に送出され、ＳＩＰサーバ１に送信される。これにより、ＳＩＰサーバ１において、アドレス管理ＤＢ１０６の当該ベース装置２を有するコードレス電話システム４用のデータの上述した離脱／接続区分を、離脱を示すように更新することができる。
【００７４】
なお、ベース装置２において、自機がＳＩＰサーバ１に対して離脱した状態にあるのか、接続している状態にあるのかは、例えば、ＲＡＭ２１３などのメモリにおいて管理されている。そして、当該ベース装置２がＳＩＰサーバ１に対して離脱を登録するようにした後に、自機に接続されるステーション端末３からの上述した接続確認用のパケットを受信したとする。このように、離脱後、この場合、ステーション端末３からの接続確認用のパケットの受信が確認されると、圏外／圏内判定部２１８は、ステーション端末３は圏内に復帰した判定する。この判定結果は、制御部２１０に通知される。
【００７５】
この場合、制御部２１０は、離脱／接続要求生成部２１６を制御し、ＳＩＰサーバ１に対する自機の接続要求を生成する。ここで生成された接続要求は、パケット分解／生成部２１５において、パケット化され、このパケット化された接続要求が、ＬＡＮＩ／Ｆ２０２、接続端子２０１を通じてＬＡＮ５に送出され、ＳＩＰサーバ１に送信される。これにより、ＳＩＰサーバ１において、アドレス管理ＤＢ１０６の当該ベース装置２を有するコードレス電話システム４用のデータの上述した離脱／接続区分を、接続を示すように更新することができる。
【００７６】
このように、この実施の形態のベース装置２は、自機と無線接続されるステーション端末３と協働し、ＳＩＰサーバ１を通じて電話通信を行うことができるようにしている。そして、この実施の形態のベース装置２は、ステーション端末３と通信を行うことにより、ステーション端末３が自機に対して圏外になったか、圏内にあるかを常時監視している。そして、ステーション端末３が自機に対して圏外になった時には、自機をＳＩＰサーバ１から離脱するように要求することができるようにしている。
【００７７】
また、ベース装置２は、離脱要求をＳＩＰサーバ１に送信し、自機をＳＩＰサーバ１から離脱するようにした後に、ステーション端末３が自機に対して圏内に復帰したときには、自機をＳＩＰサーバ１に接続するように要求することができるようにしている。
【００７８】
これにより、ＳＩＰサーバ１は、ベース装置２がステーション端末３と通信が不能な状態にあるときには、上述したように、ベース装置２からの要求により、そのベース装置２をＳＩＰサーバ１から離脱させる。これにより、ＳＩＰサーバ１は、そのベース装置２を、この通信ネットワーク上には存在しないものとして扱うことができるようにされる。
【００７９】
また、ＳＩＰサーバ１は、ベース装置２がステーション端末３と通信が不能な状態から通信が可能な状態に復帰したときには、ベース装置２からの要求により、そのベース装置２をＳＩＰサーバ１に接続させる。これにより、ＳＩＰサーバ１は、そのベース装置２を、この通信ネットワーク上に存在するものとして扱うことができるようにされる。
【００８０】
このように、ベース装置２は、ＳＩＰサーバ１に対する制御、電話機としての通信制御、ステーション端末２への種々の状態の通知や音声メッセージの再生などを制御する。なお、音声メッセージの再生制御においては、ＲＴＰ（Real-time Transport Protocol）が用いられる。ＲＴＰは、リアルタイムデータ転送プロトコルと訳され、映像や音声をリアルタイムに転送することを目的としたプロトコルであり、リアルタイムに送受する必要のある通話音声の送受に適したものである。
【００８１】
［ステーション端末３の構成と動作概要］
次に、図１に示したコードレス電話システム４のステーション端末３の構成例と動作について説明する。図５は、この実施の形態の通信システムで用いられるステーション端末３を説明するためのブロック図である。
【００８２】
図５に示すように、この実施の形態のステーション端末３は、ベース装置２との間で通信を行う部分として、送受信アンテナ３０１、アンテナ共用器３０２、受信アンプ３０３、受信処理回路３０４、送信処理回路３０５、送信アンプ３０６を備えている。
【００８３】
ここで、アンテナ共用器３０２は、自機から送信する信号と自機が受信する信号とが影響を及ぼし合うことがないようにするためのものである。受信アンプ３０３は、受信したパケットを所定のレベルにまで増幅し、これを受信用処理回路３０４に供給するものである。受信用処理回路３０４は、受信したパケットを自機において処理可能な形式のパケットに変換し、これを制御部３２０に供給するものである。また、送信用処理回路３０５は、制御部３２０からのパケットから実際に送信する形式の送信用パケットを形成する。送信アンプ３０６は、送信用パケットを所定のレベルにまで増幅するものである。
【００８４】
また、ステーション端末３は、ユーザが通話を行う部分として、音声データ入出力インターフェース（以下、音声データ入出力Ｉ／Ｆと略称する。）３０７、受話アンプ３０８、受話器（スピーカ）３０９、送話器（マイクロホン）３１０、送話アンプ３１１を備えている。
【００８５】
さらに、ステーション端末３は、制御部３２０を備えている。制御部３２０は、図５に示すように、ＣＰＵ３２１と、ＲＯＭ３２２と、ＲＡＭ３２３とがＣＰＵバス３２４によって接続されて形成されたマイクロコンピュータである。ＣＰＵ３２１は、ＲＯＭ３２２に記憶保持されているプログラムを実行することにより、各部を制御するための制御信号を生成して各部に供給したり、各部からの情報を処理したりするものである。ＲＯＭ３２２は、上述のように、ＣＰＵ３２１で実行される種々のプログラムや処理に必要となる種々のデータを記憶保持しているものである。また、ＲＡＭ３２３は、処理の途中結果を一時記憶するなど、主に、作業領域として用いられるものである。
【００８６】
また、制御部３２０は、パケット分解／生成部３２５と、送信データ生成部３２６と、時計回路３２７とを備えている。パケット分解／生成部３２５と、送信データ生成部３２６とのそれぞれは、ＣＰＵ３２１によって制御可能とされる回路装置部として構成することも可能である。しかし、この実施の形態において、パケット分解／生成部３２５と送信データ生成部３２６とのそれぞれの機能は、ＣＰＵ３２１、ＲＯＭ３２２、ＲＡＭ３２３により構成されるマイクロコンピュータにおいて実行されるソフトウエアにより実現されるものである。
【００８７】
また、時計回路３２７は、現在年月日、現在曜日、現在時刻を提供することができると共に、制御部３２０の制御に応じて、例えば、パケットの受信間隔など、目的とする間隔を計測するなどのいわゆるタイマ機能をも実現することができるものである。
【００８８】
また、制御部３２０には、ユーザインターフェイスを構成する部分として、キー操作部３３１、ＬＥＤ制御部３３２、ＬＣＤ制御部３３４、音声処理部３３６が接続されている。そして、ＬＥＤ制御部３３２にはＬＥＤ群３３３が、ＬＣＤ制御部３３４にはＬＣＤ３３５が、また、音声処理部３３６にはスピーカ３３７が接続されている。
【００８９】
ここで、キー操作部３３１は、いわゆるテンキー（数字キー）や複数のファンクションキーなどを備え、ユーザからの操作入力を受け付けるものである。また、ＬＥＤ群３３３は、複数のＬＥＤを備え、ＬＥＤ制御部３３２の制御に応じて、オフフック状態、ＳＩＰサーバ１に収容された外線の利用状態、その他の種々の状態を示すためのものである。また、ＬＣＤ３３５は、ＬＣＤ制御部３３４の制御に応じて、着信時に相手先の電話番号を表示したり、発信時に相手先の電話番号を表示したり、通話時間を表示したり、また、待ち受け状態にある場合には、時計回路３２７が提供する現在時刻を表示するなど、種々の情報を表示するものである。また、スピーカ３３７は、音声処理部３３６で処理されたアナログ音声信号の供給を受けて、これに応じた音声（着信音やアラーム音）を放音するなどのことができるものである。
【００９０】
そして、ベース装置２からのパケットは、送受信アンテナ３０１、アンテナ共用器３０２、受信アンプ３０３、受信用処理回路３０４を通じて制御部３２０に供給される。制御部３２０は、ベース装置２からのパケットをパケット分解／生成部３２５において分解し、その内容を把握する。ベース装置２からパケットが通信の相手先からの音声データである場合には、制御部３２０は、これを音声データ入出力Ｉ／Ｆ３０７に供給する。
【００９１】
音声データ入出力Ｉ／Ｆ３０７は、これに供給された音声データからアナログ音声信号を形成し、これを受話アンプ３０８を通じてスピーカ３０９に供給する。これにより、相手先からの音声データに応じた音声がスピーカ３０９から放音され、ステーション端末３のユーザがこれを聴取することができるようにされる。
【００９２】
一方、ステーション端末３のユーザが発する音声は、マイクロホン３１０により集音され、これがアナログ音声信号として、送話アンプ３１１を通じて音声データ入出力Ｉ／Ｆに供給される。音声データ入出力Ｉ／Ｆ３０７は、これに供給されたアナログ音声信号をデジタル音声データに変換して、これを制御部３２０に供給する。
【００９３】
制御部３２０は、音声データ入出力Ｉ／Ｆ３０７からの音声データをパケット分解／生成部３２５においてパケット化し、これを送信用処理回路３０５、送信アンプ３０６、アンテナ共用器３０２、送受信アンテナ３０１を通じてベース装置２に送信する。これにより、当該音声パケットは、ベース装置２からＳＩＰサーバ１に送信され、ＳＩＰサーバ１を通じて通話の相手先に送信される。
【００９４】
また、上述したように、自機において受信され、制御部３２０のパケット分解／生成部３２５において分解されたパケットが、自機宛ての制御情報である場合には、制御部３２０は、当該制御情報に応じて各部を制御する。例えば、ベース装置２からの当該制御情報が、ＳＩＰサーバ１の外線の使用状況の通知である場合には、制御部３２０は、ＬＥＤ制御部３３２を制御し、使用されている外線に対応するＬＥＤを点灯させるなどの処理を行う。また、ベース装置２からの当該制御情報が、自機への着信を通知するものである場合には、制御部３２０は、ＬＣＤ制御部３３４を制御して、ＬＣＤ３３５に発呼元の電話番号を表示したり、音声処理部３３６に着信音データを供給して、スピーカ３３７から着信音を放音させたりする。
【００９５】
そして、自機に着信がある場合に、ユーザがキー操作部３３１を通じてオフフック操作した時には、制御部３２０は送信データ生成部３２６を制御し、応答メッセージを形成する。この応答メッセージは、パケット分解／生成部３２５において、パケット化され、これが、送信用処理回路３０５、送信アンプ３０６、アンテナ共用器３０２、送受信アンテナ３０１を通じてベース装置２に送信される。そして、当該応答メッセージは、ベース装置２からＳＩＰサーバ１に送信され、ＳＩＰサーバ１から発信元の端末に送信されて、通信回線が接続するようにされ、上述したように、音声パケットの送受が行われて通話が行うようにされる。
【００９６】
また、キー操作部３３１を通じて相手先の電話番号を入力し、自機から発呼を行うようにした場合には、制御部３２０は、送信データ生成部３２６を制御し、当該相手先の電話番号を含む発呼メッセージを生成する。この発呼メッセージは、パケット分解／生成部３２５において、パケット化され、これが、送信用処理回路３０５、送信アンプ３０６、アンテナ共用器３０２、送受信アンテナ３０１を通じてベース装置２に送信される。
【００９７】
当該発呼メッセージは、ベース装置２からＳＩＰサーバ１に送信され、ＳＩＰサーバ１から目的とする相手先の端末に送信される。そして、相手先のユーザがオフフック操作を行って着信に応答するようにしたときには、応答メッセージが送信されてくるので、これに応じて、ステーション端末３及びベース装置２は通信回線を接続するようにする。これにより、上述したように、音声パケットの送受が行われて通話が行うようにされる。
【００９８】
また、この実施の形態のステーション端末３の制御部３２０は、予め決められた一定時間毎に送信データ生成部３２６を制御し、接続確認メッセージを生成する。この接続確認用メッセージは、パケット分解／生成部３２５においてパケット化され、接続確認用のパケットとして、送信用処理回路３０５、送信アンプ３０６、アンテナ共用器３０２、送受信アンテナ３０１を通じてベース装置２に送信される。これにより、上述したように、当該接続確認用のパケットをベース装置２が受信できた場合には、ベース装置２において、ステーション端末３は自機との間で通信が可能な圏内に存在することが確認することができるようにされる。
【００９９】
また、ベース装置２は、ステーション端末３からの接続確認用のパケットを受信すると、これに応答する応答パケットを送信してくる。このため、ステーション端末３は、ベース装置２からの応答パケットを受信した場合には、自機はベース装置２に対して、ベース装置２と通信が可能な圏内に位置していることを確認することができる。なお、ステーション端末３において、接続確認用のパケットを送信したにも関わらず、一定時間の間にベース装置２からの応答パケットを受信できなかった場合には、ステーション端末３の制御部３２０は、ベース装置２に対して圏外になったと判別する。
【０１００】
この場合、制御部３２０は、ＬＥＤ制御部３３２を制御し、自機が圏内になったことを示すＬＥＤを点灯したり、ＬＣＤ制御部３３４を制御し、自機が圏内になったことを示すメッセージをＬＣＤ３３５に表示したりすることができる。もちろん、制御部３２０が、警告音データを音声処理部３３６に供給し、圏外になったことを通知する警告音を放音することも可能である。
【０１０１】
このように、ステーション端末３は、ユーザからの操作内容をベース装置２に通知すること、ＬＥＤ、ＬＣＤ、スピーカなどへ情報を出力すること、また、マイクロホンを通じて集音した音声をベース装置２に送信することを担当する。
【０１０２】
［通信システムにおける各機器間の情報の送受］
次に、上述した構成を有するＳＩＰサーバ１と、ベース装置２およびステーション端末３からなるコードレス電話システム４とにより構成されるこの実施の形態の通信システムにおける通信シーケンスについて説明する。
【０１０３】
［ＳＩＰサーバ１への登録離脱シーケンス］
まず、ベース装置２がＳＩＰサーバ１に対して行う登録離脱シーケンスについて説明する。図６は、ベース装置２がＳＩＰサーバ１に対して行う登録離脱シーケンスについて説明するためのシーケンス図である。
【０１０４】
上述もしたように、ステーション端末３は、所定のタイミング毎（例えば１２５μｓｅｃ（マイクロ秒）毎）に接続確認用のパケットを送信してくる。ベース装置２は、接続確認用のパケットを受信する毎に、時計回路２１９と協働し、リンク監視タイマをリセットし、ステーション端末３から次に接続確認用のパケットを受信するまでの時間をモニタする。この例の場合、２０秒間の間にステーション端末３から送信される次の接続確認用のパケットをベース装置２を受信しなかった場合に、ベース装置２ではステーション端末３が圏外になったと判別する。
【０１０５】
また、ベース装置２は、ステーション端末３からの接続確認用のパケットを受信すると、ステーション端末３への応答パケットを形成し、これをステーション端末３に送信する。この場合、当該応答パケットにはタイムアウト値を添付する。この場合のタイムアウト値は、例えば２０秒である。したがって、ステーション端末３において、ベース装置２からの応答パケットを２０秒間受信しなかったときには、ステーション端末３においてもベース装置２の圏外になったと判別することができるようにされる。
【０１０６】
そして、図６において、ステーション端末３からの点線矢印で示したように、ステーション端末３からは繰り返し、接続確認用のパケットが送信されているにも関わらず、ベース装置２において受信されなかったとする。この場合、ベース装置２は、上述したように、リンク監視タイマが前回接続確認用のパケットを受信してから２０秒経過したと判別した場合には、ベース装置２は、ステーション端末３が自機の圏外に移動したと判別する。
【０１０７】
また、ベース装置２が、ステーション端末３からの接続確認用のパケットを受信していないということは、応答パケットがベース装置２からステーション端末３に送信されていないということを意味する。したがって、ステーション端末３においても、ベース装置２からの応答パケットを、前回受信してから２０秒経過しても受信していないことになり、ステーション端末３においても、自機がベース装置２の圏外に至ったことを判別することができる。
【０１０８】
そして、ベース装置２において、ステーション端末３が圏外に至ったと判別した時には、ＳＩＰサーバ１への登録離脱シーケンスを実行するようにする。図６において、点線で囲んで示した部分が、ベース装置２とＳＩＰサーバ１との間で行われるＳＩＰサーバ１への登録離脱シーケンスである。
【０１０９】
この場合、まず、ベース装置２が情報伝達要求メッセージであるＳｕｂｓｃｒｉｂｅメッセージを用いて、当該ベース装置２をＳＩＰサーバ１から離脱する旨（ＳＵＢＳＣＲＩＢＥ  Ｅｘｐｉｒｅ０）をＳＩＰサーバ１に通知する。そして、ベース装置２は、コネクトアドレス登録要求メッセージであるＲＥＧＩＳＴＥＲメッセージを用いて、当該ベース装置２をＳＩＰサーバ１の接続から離脱したことを登録する要求（ＲＥＧＩＳＴＥＲ  Ｅｘｐｉｒｉｅ０）をＳＩＰサーバ１に送信する。
【０１１０】
ＳＩＰサーバ１は、Ｓｕｂｓｃｒｉｂｅメッセージを受信すると、当該メッセージを受信したことの応答メッセージ（登録離脱応答（２００  ＯＫ））を返信し、ベース装置２はこれを受信する。そして、ベース装置２からのＲＥＧＩＳＴＥＲメッセージに応じて、当該ベース装置２をＳＩＰサーバ１のアドレス管理ＤＢの離脱／接続区分を離脱に変更する。そして、ＳＩＰサーバ１はＲＥＧＩＳＴＥＲメッセージに対する応答（登録離脱応答（２００  ＯＫ））をベース装置２に返信し、ベース装置２はこれを受信する。
【０１１１】
このようにして、ベース装置２は、ステーション端末３が自機と通信が不能な圏外に移動した場合に、ＳＩＰサーバ１に対して自機を接続から離脱させるように要求する。これにより、ＳＩＰサーバ１において、コードレス電話システム４への着信があった場合に当該ベース装置を呼び出しの対象とはせず、また、当該ベース装置への直接の着信については、当該ベース装置が接続されていない場合の対応を取ることができるようにされる。
【０１１２】
［ＳＩＰサーバ１への登録開始シーケンス］
次に、上述したように、ステーション端末３が圏外になったために、ＳＩＰサーバ１から離脱したベース装置２が、ステーション端末３が圏内に復帰したために再接続するための登録開始（接続開始）シーケンスについて説明する。図７は、ベース装置２がＳＩＰサーバ１に対して行う登録開始シーケンスについて説明するためのシーケンス図である。
【０１１３】
ベース装置２が図６に示したＳＩＰサーバ１への登録離脱シーケンスを実行した後、ステーション端末３が所定のタイミング毎（例えば１２５μｓｅｃ（マイクロ秒）毎）に送信してくる接続確認用のパケットをベース装置２が受信したとする。この場合、ベース装置２は、ステーション端末３が自己の圏内に復帰したと判別することができる。この場合、図７のステーション端末３とベース装置２との間のシーケンスに示すように、ステーション端末３とベース装置２との間において、接続確認用のパケットとその応答パケットの送受が再開される。
【０１１４】
そして、ベース装置２において、ステーション端末３が圏内に復帰したと判別した時には、ベース装置２が登録開始シーケンスを開始可能な状態であれば、ベース装置２は、ＳＩＰサーバ１への登録開始（接続開始）シーケンスを実行する。図７において、点線で囲んで示した部分が、ベース装置２とＳＩＰサーバ１との間で行われるＳＩＰサーバ１への登録開始シーケンスである。なお、ベース装置２が登録開始シーケンスを開始可能でない状態とは、保守中などベース装置２が意図的にＳＩＰサーバ１から離脱している場合を意味する。
【０１１５】
そして、登録開始シーケンスでは、まず、ベース装置２が、コネクトアドレス登録要求メッセージであるＲＥＧＩＳＴＥＲを用いて、当該ベース装置２をＳＩＰサーバ１に接続することを要求するメッセージ（登録（接続）要求（ＲＥＧＩＳＴＥＲ））をＳＩＰサーバ１に送信する。そして、ベース装置２からのＲＥＧＩＳＴＥＲメッセージに応じて、ＳＩＰサーバ１の当該ベース装置２についてのアドレス管理ＤＢの離脱／接続区分を接続に変更する。そして、ＳＩＰサーバ１は、ＲＥＧＩＳＴＥＲメッセージに対する応答（登録成功応答（２００  ＯＫ））をベース装置２に返信し、ベース装置２はこれを受信する。
【０１１６】
この後、ベース装置２は、情報伝達要求メッセージであるＳｕｂｓｃｒｉｂｅメッセージを用いて、自機についてのアドレス管理ＤＢの離脱／接続区分に応じた処理を開始させることの要求（登録要求（ＳＵＢＳＣＲＩＢＥ））をＳＩＰサーバ１に通知する。ＳＩＰサーバ１は、当該Ｓｕｂｓｃｒｉｂｅメッセージを受信すると、当該メッセージを受信したことの応答メッセージ（登録成功応答（２００  ＯＫ））を返信し、ベース装置２はこれを受信する。これにより、当該ベース装置２は、ＳＩＰサーバ１に接続されることにより、当該通信システムに再接続される。
【０１１７】
このようにして、ベース装置２は、ステーション端末３が自機と通信が不能な圏外にある状態から通信が可能な圏内に復帰すると、ＳＩＰサーバ１に対して自機を再接続させるように要求する。これにより、ＳＩＰサーバ１において、コードレス電話システム４への着信があった場合に当該ベース装置を呼び出しの対象とし、また、当該ベース装置への直接の着信については、当該ベース装置を直接に呼び出すことができるようにされる。
【０１１８】
［保留呼切断シーケンス］
次に、保留時に、ステーション端末３が圏外になった場合の相手機器をも含めた保留呼切断シーケンスについて説明する。図８は、保留時に、ステーション端末３のユーザが移動し、ステーション端末３がベース装置２に対して圏外になった場合の相手機器をも含めた保留呼切断シーケンスについて説明するためのシーケンス図である。
【０１１９】
図８に示すように、ベース装置２とステーション端末３とが通信可能な圏内にあるときに、ステーション端末３に着信があり、あるいは、ステーション端末３から発呼して、対向機（通話相手）との間で通信回線が接続されたとする。この場合、通信状態となり、制御信号の送受の音声パケットの送受が行われるようにされる。制御信号の送受には、上述した接続確認用パケットとこれに対する応答パケットの送受が含まれる。
【０１２０】
そして、ステーション端末３から保留にする操作が行われると、ベース装置２は、対向機に対して保留音を送出する。対向機はステーション端末３によって保留状態が解除されるのを待つことになる。この保留状態にあるときに、ステーション端末３のユーザが移動することによって、ステーション端末３がベース装置２の圏外になったとする。この場合、図６を用いて説明した場合と同様に、ステーション端末３とベース装置２との間で接続確認用のパケットとこれに対応する応答パケットの送受が行われないので、ベース装置２はステーション端末３が圏外になったことを認識する。ステーション端末３でも自機がベース装置２の圏外になったことを認識する。
【０１２１】
この場合、ベース装置２は、保留呼を切断するため、ＳＩＰサーバ１に対して切断要求（ＢＹＥメッセージ）を送信する。この切断要求は、ＳＩＰサーバ１を通じて対向機に送信される。切断要求を受信した対向機は、切断要求受理メッセージ（２００  ＯＫ）を送出し、接続していた通信回線を切断するようにする。ＳＩＰサーバ１は、対向機からの切断要求受理メッセージ（２００  ＯＫ）をベース装置２に送信する。これにより、対向機とベース装置２（コードレス電話システム４）との間で形成されていた通信回線は切断され、保留呼が切断される。
【０１２２】
そして、ベース装置２は、自機に対してステーション端末３が圏外であるので、図６において点線で囲んで示したＳＩＰサーバ１への登録離脱を実行し、当該ベース装置２をＳＩＰサーバ１から離脱させるようにする。この後、ステーション端末３がベース装置２の圏内に復帰してきた場合には、図７において点線で囲んで示したＳＩＰサーバ１への登録開始シーケンスを実行し、当該ベース装置２をＳＩＰサーバ１に対して再接続させるようにする。
【０１２３】
このように、コードレス電話システム４において保留中にベース装置２に対してステーション端末３が圏外になった場合、ベース装置２は、まず、対向機との間の通信回線を切断する。この後、ベース装置２は、ＳＩＰサーバ１への登録離脱シーケンスを実行し、自機をＳＩＰサーバ１から離脱させ、ステーション端末３が圏内に復帰してくるのを待つ。そして、ステーション端末３がベース装置２の圏内に復帰してきたら、ベース装置２は、ＳＩＰサーバ１への登録開始シーケンスを実行して、ＳＩＰサーバ１を含む通信ネットワークに当該ベース装置２を含むコードレス電話システムを復帰させる。
【０１２４】
これにより、無駄に通信回線が接続された状態を維持することも無く、ステーション端末３がベース装置２の圏内に復帰してくるまでは、当該ステーション端末３を含むコードレス電話システム４は通信ネットワークに接続されていない状態となる。したがって、相手先から電話の掛けなおしが行われても、ステーション端末３がベース装置２の圏内に復帰していない状態では、相手先と当該ベース装置２との間に通信回線が接続されることは無い。また、ステーション端末３がベース装置２の圏外になった場合に、必要以上に保留状態を維持させることもない。
【０１２５】
［通話切断シーケンス］
次に、通話時に、ステーション端末３が圏外になった場合の相手機器をも含めた通話切断シーケンスについて説明する。図９は、通話時に、ステーション端末３のユーザが移動し、ステーション端末３がベース装置２に対して圏外になった場合の相手機器をも含めた通話切断シーケンスについて説明するためのシーケンス図である。
【０１２６】
図９に示すように、ベース装置２とステーション端末３とが通信可能な圏内にあるときに、ステーション端末３に着信があり、あるいは、ステーション端末３から発呼して、対向機（通話相手）との間で通信回線が接続されたとする。この場合、通信状態となり、制御信号の送受の音声パケットの送受が行われるようにされる。制御信号の送受には、上述した接続確認用パケットとこれに対する応答パケットの送受が含まれる。
【０１２７】
そして、通話状態にあるときに、ステーション端末３のユーザが移動することによって、ステーション端末３がベース装置２の圏外になったとする。この場合、図６を用いて説明した場合と同様に、ステーション端末３とベース装置２との間で接続確認用のパケットとこれに対応する応答パケットの送受が行われないので、ベース装置２はステーション端末３が圏外になったことを認識する。ステーション端末３でも自機がベース装置２の圏外になったことを認識する。
【０１２８】
この場合、ベース装置２は、通話呼を切断するため、ＳＩＰサーバ１に対して切断要求（ＢＹＥメッセージ）を送信する。この切断要求は、ＳＩＰサーバ１を通じて対向機に送信される。切断要求を受信した対向機は、切断要求受理メッセージ（２００  ＯＫ）を送出し、接続していた通信回線を切断するようにする。ＳＩＰサーバ１は、対向機からの切断要求受理メッセージ（２００  ＯＫ）をベース装置２に送信する。これにより、対向機とベース装置２（コードレス電話システム４）との間で形成されていた通信回線は切断され、通話呼が切断される。
【０１２９】
そして、ベース装置２は、自機に対してステーション端末３が圏外であるので、図６において点線で囲んで示したＳＩＰサーバ１への登録離脱を実行し、当該ベース装置２をＳＩＰサーバ１から離脱させるようにする。この後、ステーション端末３がベース装置２の圏内に復帰してきた場合には、図７において点線で囲んで示したＳＩＰサーバ１への登録開始シーケンスを実行し、当該ベース装置２をＳＩＰサーバ１に対して再接続させるようにする。
【０１３０】
このように、コードレス電話システム４において通話中にベース装置２に対してステーション端末３が圏外になった場合、ベース装置２は、まず、対向機との間の通信回線を切断する。この後、ベース装置２は、ＳＩＰサーバ１への登録離脱シーケンスを実行し、自機をＳＩＰサーバ１から離脱させ、ステーション端末３が圏内に復帰してくるのを待つ。そして、ステーション端末３がベース装置２の圏内に復帰してきたら、ベース装置２は、ＳＩＰサーバ１への登録開始シーケンスを実行して、ＳＩＰサーバ１を含む通信ネットワークに当該ベース装置２を含むコードレス電話システムを復帰させる。
【０１３１】
これにより、無駄に通信回線が接続された状態を維持することも無く、ステーション端末３がベース装置２の圏内に復帰してくるまでは、当該ステーション端末３を含むコードレス電話システム４は通信ネットワークに接続されていない状態となる。したがって、相手先から電話の掛けなおしが行われても、ステーション端末３がベース装置２の圏内に復帰していない状態では、相手先と当該ベース装置２との間に通信回線が接続されることは無い。また、ステーション端末３がベース装置２の圏外になった場合に、必要以上に通話状態を維持させることもない。また、ステーション端末３が復帰してきたときに、双方の話者が意識しない内に通信回線が接続されて、知らない内に通話が可能な状態に復帰してしまう不都合を防止することができる。
【０１３２】
［ベース装置２の処理のまとめ］
次に、ＳＩＰサーバ１への登録離脱シーケンスやＳＩＰサーバ１への登録開始シーケンスの開始主体であるベース装置２における処理について、図１０のフローチャートを参照しながらまとめる。図１０は、ベース装置２において実行される処理について説明するためのフローチャートである。
【０１３３】
ベース装置２は、自機に電源が投入されている間においては、他の処理と並行して図１０に示す処理を常時動作させるようにしている。この場合、ベース装置２は、上述したように、ステーション端末３からの接続確認用のパケットを所定時間の間に受信したか否かを判別することにより、ステーション端末３が自機に対して圏外になったか否かを判別する（ステップＳ１）。
【０１３４】
ステップＳ１において、ステーション端末３は自機に対して圏外に移動していない（圏内にある）と判別した時には、ステップＳ１の判別処理を繰り返す。ステップＳ１の判別処理において、ステーション端末３が自機に対して圏外になったと判別した時には、ベース装置２は、自機の動作状態に基づいて、現在通信回線を接続して使用中、すなわち通話中または保留中の状態にあるか否かを判別する（ステップＳ２）。ステップＳ２の判別処理において、通話中または保留中であると判別したときには、ベース装置２は、通信回線の切断処理を実行する（ステップＳ３）。具体的にステップＳ３においては、図８、図９を用いて説明したように、通話状態や保留状態を停止し、切断要求の送信と切断応答の受信とを行うことによって、接続していた通信回線（呼）を切断する。
【０１３５】
ステップＳ３の処理を実行した後、あるいは、ステップＳ２の判別処理において、通話中または保留中ではない（アイドル状態である）と判別したときには、上述したＳＩＰサーバ１への登録離脱シーケンスを開始させるため、ベース装置２は、離脱要求を生成する（ステップＳ４）。そして、ステップＳ４で生成した離脱要求をＳＩＰサーバ１に送信する（ステップＳ５）。これにより、図６に示したＳＩＰサーバ１への登録離脱シーケンスが行われる。
【０１３６】
そして、ベース装置２は、上述もしたように、ステーション端末３からの接続確認用のパケットを受信し、所定時間の間に繰り返し受信するようになったか否かを判別することにより、ステーション端末３が自機に対して圏内に復帰したか否かを判別する（ステップＳ６）。
【０１３７】
ステップＳ６において、ステーション端末３は自機に対して圏内に復帰していない（圏外にある）と判別した時には、ステップＳ６の判別処理を繰り返す。ステップＳ６の判別処理において、ステーション端末３が自機に対して圏内に復帰したと判別した時には、上述したＳＩＰサーバ１への登録接続シーケンスを開始させるため、ベース装置２は、接続要求を生成する（ステップＳ７）。そして、ステップＳ７で生成した接続要求をＳＩＰサーバ１に送信する（ステップＳ８）。これにより、図７に示したＳＩＰサーバ１への登録開始シーケンスが行われる。この後、ステップＳ１からの処理が繰り返すようにされる。
【０１３８】
このように、ベース装置２が自機と無線接続されるべきステーション端末３が圏外になった場合には、登録離脱シーケンスを開始させる。この後、当該ステーション端末３が圏内に復帰してきたときには、登録開始シーケンスを開始させる。これにより、ベース装置２は、ステーション端末３と通信が可能な状態にあるか否かに応じて、ＳＩＰサーバ１に対して自機を離脱させたり、接続させたりすることを適切に行うことができるようにされる。これにより、ＳＩＰサーバ１がコードレス電話システム４のそれぞれを適切に制御可能な環境を整えることができるようにされる。
【０１３９】
「実施の形態の効果」
ベース装置２は、ステーション端末３が当該ベース装置２に対して圏内にあり、ステーション端末２を通じて通話が可能な状態に無ければ、ベース装置２はＳＩＰサーバ１から離脱することで、通話相手へ無音となる通話を作成しないようにすることができる。また、着信先のベース装置２が未接続（離脱中）である場合には、ＳＩＰサーバ１が他のベース装置に転送するなどの適宜の対応を取ることができるようにされる。
【０１４０】
また、ステーション端末３は圏外となってから圏内に復帰した場合に、ベース装置２の指示にしたがった状態となる。それが、通話中であれば、ステーション端末３が圏内に復帰した時点でユーザが知らない間に通話が開始されてしまうのが従来からのシステムである。しかし、この実施の形態のベース装置２は、ステーション端末３が圏外になった時点で、ＳＩＰサーバ１から離脱するので、ステーション端末３は圏内復帰時に電話機としてアイドル状態（待ち受け状態）以外では通信回線を接続して通話を開始しないとすることができる。
【０１４１】
［この発明の無線通信システム、方法、プログラム、通信システム］
そして、上述した実施形態からも分かるように、ベース装置２とステーション端末３とからなるコードレス電話システム４が、この発明の無線通信システムが適用されるものである。また、ベース装置２で行われる処理が、この発明による方法、プログラムに対応するものである。具体的には、図５に示したフローチャートを用いて説明した処理が、この発明の方法、プログラムの一実施形態に対応するものである。また、ＳＩＰサーバ１を含めた通信システムが、この発明の一実施の形態が適用された通信システムである。
【０１４２】
［その他］
なお、上述した実施の形態においては、ＳＩＰサーバ１を用いたＩＰ電話システムにこの発明を適用した場合を例にして説明したが、これに限るものではない。ＳＩＰサーバ１に替えて、いわゆる交換機能や収容端末の制御をも行ういわゆる主装置などの中継交換装置に対して、複数の端末が接続されるいわゆるビジネスホンシステムにもこの発明を適用することができる。
【０１４３】
また、上述した実施の形態では、保留時や通話時に対向機との間の通信回線を切断する場合に、例えば、ベース装置２からステーション端末３が圏外になったために通信回線を切断する旨のメッセージを対向機に送信するようにしてもよい。
【０１４４】
また、上述した実施の形態では、ベース装置２において、ステーション端末３からの接続確認用のパケットの有無に応じてステーション端末３が圏外にあるか、圏内にあるかの判別（判断）を行うようにしたが、これに限るものではない。例えば、ベース装置２において受信するステーション端末３からの信号の受信強度に応じて、ステーション端末３が圏外にあるか、圏内にあるかの判別を行うようにすることもできる。
【０１４５】
また、上述した実施の形態においては、ベース装置２において、圏内／圏外判別部２１８が判別手段としての機能を実現し、離脱／接続要求生成手段が、離脱要求生成手段と接続要求生成手段としての機能を実現する。また、主にＬＡＮＩ／Ｆ２０２が制御部２１０と協働し、離脱要求送信手段と接続要求送信手段としての機能を実現している。
【０１４６】
また、ステーション端末３において、送信データ生成手段３２６と、送信用処理回路３０５と、送信アンプ３０６と、アンテナ共用器３０２と、送受信アンテナ３０１とが送信手段を構成している。
【０１４７】
また、ＳＩＰサーバ１において、アドレス管理ＤＢ１０６が、管理情報記憶手段の機能を実現し、ＬＡＮへの接続端子１０８、ＬＡＮＩ／Ｆ１０７、制御部１１０が、離脱要求受信手段と接続要求受信手段としての機能を実現している。そして、制御部１１０が、第１、第２の更新手段と着信処理手段としての機能を実現している。
【符号の説明】
【０１４８】
１…ＳＩＰサーバ、１０１…ＩＰ網への接続端子、１０２…ＩＰ網Ｉ／Ｆ、１０３…パケット分解／生成部、１０４…電話網Ｉ／Ｆ、１０５…電話網への接続端子１０５、１０６…アドレス管理ＤＢ、１０７…ＬＡＮＩ／Ｆ、１０８…ＬＡＮへの接続端子、１１０…制御部、１１１…ＣＰＵ、１１２…ＲＯＭ、１１３…ＲＡＭ、１１４…ＣＰＵバス、２…ベース装置、２０１…ＬＡＮへの接続端子、２０２…ＬＡＮＩ／Ｆ、２０３…送信用処理回路、２０４…受信用処理回路、２０５…送信アンプ、２０６…受信アンプ、２０７…アンテナ共用器、２０８…送受信アンテナ、２１０…制御部、２１１…ＣＰＵ、２１２…ＲＯＭ、２１３…ＲＡＭ、２１４…ＣＰＵバス、２１５…パケット分解／生成部、２１６…離脱／接続要求生成部、２１７…情報種別判別部、２１８…圏外／圏内判別部、２１９…時計回路、３…ステーション端末、３０１…送受信アンテナ、３０２…アンテナ共用器、３０３…受信アンプ、３０４…受信用処理回路、３０５…送信処理回路、３０６…送信アンプ、３０７…音声データ入出力Ｉ／Ｆ、３０８…受話アンプ、３０９…受話器（スピーカ）、３１０…送話器（マイクロホン）、３１１…送話アンプ、３２０…制御部、３２１…ＣＰＵ、３２２…ＲＯＭ、３２３…ＲＡＭ、３２４…ＣＰＵバス、３２５…パケット分解／生成部、３２６…送信データ生成部、３２７…時計回路
【図１】
0005733498.tif 000002
【図２】
0005733498.tif 000003
【図３】
0005733498.tif 000004
【図４】
0005733498.tif 000005
【図５】
0005733498.tif 000006
【図６】
0005733498.tif 000007
【図７】
0005733498.tif 000008
【図８】
0005733498.tif 000009
【図９】
0005733498.tif 000010
【図１０】
0005733498.tif 000011